(57)【要約】【課題】  使用済みの有価証券より施した無効表示が、不十分な状態の表示であった場合に、他の有価証券と区別し、再度、無効表示を施こせるようにして、有価証券の不正使用が行われることを防止できるようにした有価証券の真贋判定端末装置を提供する。【解決手段】  予め有価証券に表示する無効表示用の画像情報が登録された記憶手段と、前記記憶手段に登録されている無効表示用の画像情報に基づいて、前記有価証券の券面に無効表示をプリント出力する手段と、前記有価証券の券面にプリント出力された無効表示から画像情報を読み取る読取手段と、前記読取手段で読み取った画像情報と、前記記憶手段に予め登録されている無効表示用の画像情報とを照合する照合手段と、前記照合手段による照合結果において、照合不一致となった場合に、その照合不一致となった有価証券を他の有価証券と区別して排出するリジェクト手段と、を有することを特徴とする。【選択図】        図1
2006072402.tif 000002
【特許請求の範囲】
【請求項１】
有価証券に対して真贋判定処理を行なう有価証券の真贋判定端末装置であって、
予め有価証券に表示する無効表示用の画像情報が登録された記憶手段と、
前記記憶手段に登録されている無効表示用の画像情報に基づいて、前記有価証券の券面に無効表示をプリント出力する手段と、
前記有価証券の券面にプリント出力された無効表示から画像情報を読み取る読取手段と、
前記読取手段で読み取った画像情報と、前記記憶手段に予め登録されている無効表示用の画像情報とを照合する照合手段と、
前記照合手段による照合結果において、照合不一致となった場合に、その照合不一致となった有価証券を他の有価証券と区別して排出するリジェクト手段と、
を有することを特徴とする有価証券の真贋判定端末装置。
【発明の詳細な説明】
【技術分野】
【０００１】
本発明は、有価証券に対して真贋判定処理を行なう有価証券の真贋判定端末装置に関し、特に使用済みの有価証券に表示した無効表示用の画像が、予め定めた基準通りに正しく表示されたか否かを検査できるようにした有価証券の真贋判定端末装置に関する。
【背景技術】
【０００２】
従来、例えば、商品券、ギフトカード、旅行券、食事券、ビール券、アイスクリーム券、図書券、文具券、など金銭的な価値を有する種々の有価証券が多種類発行され、顧客が店舗で商品を購入する際に使用されている。
これらの有価証券には、１枚毎に金券を管理するための管理番号として券番号が表示されており、これらの券番号に基づくデータ管理により、市場に発効されて出回っている金券と、既に使用されて回収された有価証券について把握できるようにしてある。
【０００３】
従来技術として、このような有価証券に表示された券番号を機械的に読み取って、予め登録されている券番号と照合することで有価証券の回収処理を行うと共に、使用された有価証券が、偽造、変造または改ざんなどの偽物の偽券であるか否かを判別処理する機能を有する端末装置が公知となっている。（例えば、特許文献１参照）
【特許文献１】特開平１０−３４０３６８号公報
【０００４】
通常、消費者が使用した商品券などの有価証券は、再使用されないようにするために、パンチ孔を空けたり、プリンタにより使用を無効とする文字やマーク等の表示を施すなどして、仮に不正な再使用がされた場合でも、店員などの相手側が目視で再使用の有価証券であることを判別できるように処理している。
【０００５】
しかしながら、消費者が使用した商品券などの有価証券に対して、プリンタにより使用を無効とする文字やマーク等の表示を施す処理を行う際に、プリンタのインキの消耗や、インクローラの消耗や、その他の機構上の故障などにより、無効を示す表示が不十分になったり、表示漏れを起こすなどの不備が生じる可能性があるという問題がある。
特に、１日に大量の商品券の処理を行うこともある百貨店などでは、大量の商品券を機械的に処理するため、無効を示す表示に不備があったとしても気づかれないまま放置されてしまう危険性も考えられ、それらの無効表示が不備な商品券が不正に使用されてしまう危険性もあるという問題がある。
【発明の開示】
【発明が解決しようとする課題】
【０００６】
本発明は、使用済みの有価証券の再使用を防止するためにプリンタにより施した無効表示が、プリンタのインキの消耗や、インクローラの消耗や、その他の機構上の故障などにより不十分であったとしても、それらの不十分な状態の表示を行なった有価証券と他の有価証券と区別できるようにして、再度、不十分な状態の表示が行なわれた有価証券に対し正しい状態の無効表示を施こせるようにして、使用済みの有価証券の不正使用が行われることを防止できるようにした有価証券の真贋判定端末装置を提供する。
【課題を解決するための手段】
【０００７】
本発明の有価証券の真贋判定端末装置は、有価証券に対して真贋判定処理を行なう有価証券の真贋判定端末装置であって、予め有価証券に表示する無効表示用の画像情報が登録された記憶手段と、前記記憶手段に登録されている無効表示用の画像情報に基づいて、前記有価証券の券面に無効表示をプリント出力する手段と、前記有価証券の券面にプリント出力された無効表示から画像情報を読み取る読取手段と、前記読取手段で読み取った画像情報と、前記記憶手段に予め登録されている無効表示用の画像情報とを照合する照合手段と、前記照合手段による照合結果において、照合不一致となった場合に、その照合不一致となった有価証券を他の有価証券と区別して排出するリジェクト手段と、を有することを特徴とする。
【発明の効果】
【０００８】
本発明の有価証券の真贋判定端末装置は、有価証券にプリント出力した無効表示が、プリンタのインキの消耗や、インクローラの消耗や、その他の機構上の故障などにより不明確な状態の表示であったとしても、実際に有価証券にプリント出力した無効表示について、予め記憶手段に登録されている無効表示用の画像情報と照合処理を行なうことで、それらの有価証券をリジェクトでき、再度、有価証券に対し正しい状態の無効表示を施こすこともできるので、使用済みの有価証券に対して不正使用の防止を図ることができるという効果がある。
【発明を実施するための最良の形態】
【０００９】
以下、本発明の実施形態に係る有価証券の真贋判定端末装置について、図面に基づいて詳細に説明する。
図１は、本発明の実施形態に係る有価証券の真贋判定端末装置の概要を説明するための図、図２は、有価証券の一例を示す平面図、図３は、本発明の実施形態に係る有価証券の真贋判定端末装置のシステムブロック図、図４は、本発明の実施形態に係る有価証券の真贋判定端末装置において、有価証券の処理の流れを示す図、図５は、本発明に係る事前に登録された無効表示の画像情報、図６は、本発明に係る無効表示が施された有価証券の平面図、図７は、本発明の実施形態に係る有価証券の真贋判定端末装置の処理手順を示すフローチャートである。
【００１０】
図１に示すように、本発明の実施形態に係る有価証券の真贋判定端末装置１は、例えば代金の代わりに商品券などの有価証券を取り扱う扱う店舗などに設置されており、また有価証券の真贋判定処理を行なう管理サーバ２と通信回線３を介して通信可能に接続されている。
尚、図１には、一例として商品券である有価証券４に対して真贋判定端末装置１を用いて真贋判定を行なう場合が示されている。
【００１１】
真贋判定端末装置１は、有価証券４を取り扱う複数の店舗などに設置され、各々の真贋判定端末装置１が通信回線３を介して管理サーバ２と通信可能に接続され、管理センターなどに設置されている管理サーバ２により一括して真贋判定処理が行われ、これらの真贋判定の結果情報が管理サーバ２から真贋判定端末装置１に送信されて、取り扱われた商品券などの有価証券に対し、それが本物の真券であるのか、偽物の偽券であるのか否かがわかるようにしてある。
【００１２】
真贋判定端末装置１の外部には、操作手順説明や管理サーバ２から受信した真贋判定の結果情報などが表示される表示手段と、指示情報などを入力するための入力手段とを有するタッチパネル５、真贋判定を行なう有価証券４を真贋判定端末装置１内に挿入する際にセットする挿入セット部６、真券であると判定された有価証券４が排出される排出部７、偽券であると判定された偽物の有価証券を排出する第１リジェクトスタッカ８、真券であると判定された有価証券４の中から、有価証券４に対してプリント出力した無効表示が不良であると判断された場合に、その有価証券だけを排出する第２リジェクトスタッカ９、などが備えられている。
【００１３】
有価証券４の真贋を調べようとする者は、挿入セット部６に有価証券４をセットすることで有価証券４を真贋判定端末装置１内に挿入させ、タッチパネル５に表示された操作手順説明に従いながら、タッチパネル５から指示情報などを入力することで有価証券４から読み取った情報を管理サーバ２に送信する。
そして、管理サーバ２で真贋判定が行なわれ、この真贋判定の結果情報が管理サーバ２から真贋判定端末装置１に送信され、真贋判定端末装置１のタッチパネル５の表示手段に表示させることで、その有価証券が真券であるか、偽券であるのかの確認が行なえるように構成されている。
【００１４】
次に、図３のシステムブロック図に基づいて、真贋判定端末装置１のシステム構成について説明する。
真贋判定端末装置１には、挿入部６にセットされた有価証券４を真贋判定端末装置１内に取り入れる挿入手段１０、この挿入手段１０で真贋判定端末装置１の内部に取り入れられた有価証券４を装置内部で搬送させる搬送手段１１、記憶手段１２、画像読取手段で読み取った画像情報に基づいて券種を判別する券種判別手段１３、この券種判別手段１３で判別した券種に基づいて、有価証券の券番号が表示された位置を特定し、券番号４ａを読み取る券番号読取手段１４、有価証券の真贋判定用の特性情報を読み取る特性情報読取手段１５、入力手段１６、有価証券の券面の画像情報を読み取る第１画像読取手段１７と第２画像読取手段１８、真券であると判定された有価証券４を排出部７に排出させる排出手段１９、表示手段２０、通信回線を介して管理サーバと通信を行なう通信手段２１、有価証券４が真券であると判定された後に、その有価証券４の再使用をできないように使用の無効を示す無効表示のプリント出力を行なう無効処理手段２２、有価証券４が偽券と判定された場合に有価証券４をリジェクトスタッカ８に排出する第１リジェクト手段２３、有価証券４に表示した無効表示が不良であると判定された場合に、その有価証券４をリジェクトスタッカ９に排出する第２リジェクト手段２４、真贋判定端末装置１から管理サーバ２に送信する際の制御を行なう送信制御手段２５、読取手段で読み取った画像情報と、記憶手段に予め登録されている有価証券用の画像情報とを照合する照合手段２６、制御手段２３、などが備えられている。
【００１５】
また、入力手段１６及び表示手段２０は、タッチパネル５により入力及び表示が行なわれる。
記憶手段１２には、無効表示用の画像情報、第１画像読取手段１７で読み取った画像情報から券種を判別する際に、読み取り画像情報と照合するための照合用画像情報、処理手順などの制御プログラムなどが予め複数種類登録されている。
記憶手段１２に登録されている無効表示用の画像情報としては、例えば、図５に示すように、「無効」の文字や、使用者が目視で直ぐに判別可能なマークや絵柄などが登録されている。
そして、図６に示すように、記憶手段１２に登録されている無効表示用の画像情報に基づいて、有価証券４の券面に無効表示をプリント出力することで、使用済みの有価証券が不正に再使用されことを防止している。
【００１６】
そして、券種判別手段１３により、第１画像読取手段１７から読み取った有価証券４の画像情報と照合用画像情報とが照合されることで、その有価証券４の種別が特定されることで、その有価証券４の券番号４１が表示されている位置を特定可能としてある。
その有価証券４の券番号４１の位置が特定されることで、券番号読取手段１４での券番号４１の読み取りに際して、有価証券４のどの部分を読み取りすればよいのかが定められることで、たとえ複数種類の有価証券４が挿入部６にセットされたとしても、各々の有価証券４の券番号に対する読み取りを正確に行なうことができるようにしてある。
【００１７】
有価証券４の真贋判定用の特性情報を読み取る特性情報読取手段１５は、各々の有価証券に付されている真贋判定用の特性情報に対応して、これらの特性情報を読み取れる複数種類のセンサーなどから構成されている。
有価証券に付されている真贋判定用の特性情報としては、例えば、券面デザインとして施されている印刷パターン、磁気インクを利用した印刷パターン、蛍光インクを利用した印刷パターン、透かし印刷、ホログラム、などがあり、偽造防止効果を高めるために、これらを複合させて用いるなどしてある。
図２に示す有価証券４には、真贋判定用の特性情報として、磁気インクを利用したバーコード状の印刷パターン４２と、蛍光インクを利用したドーナツ状の印刷パターン４３とが施されている例が表示されている。
したがって、特性情報読取手段１５としては、上記した有価証券に付されている真贋判定用の特性情報に対応して、これらの情報の読み取りが行なえる各種のセンサーが複数種類設けられている。
【００１８】
図４に示すように、真贋判定端末装置１には、有価証券４の搬送方向に対して第１画像読取手段１７、券番号読取手段１４、各種センサーからなる特性情報読取手段１５、有価証券４に対して使用を無効とする無効表示をプリント出力する無効処理手段２２、第２画像読取手段１８、第１リジェクト手段２３、第２リジェクト手段２４、が順次に配置されており、管理サーバ２から受信した真贋判定の結果情報に基づいて、真券と判定された有価証券４ａを排出部７に搬送する搬送ルートと、有価証券４が偽券と判定された場合にその有価証券４ｂを第１リジェクト手段２３で第１リジェクトスタッカ８に搬送する搬送ルートと、真券と判定された有価証券の中から無効表示が不良であると判定された有価証券４ｃを第２リジェクト手段２４で第２リジェクトスタッカ９に搬送する搬送ルートと、に分かれて排出するように構成されている。
【００１９】
次に、本発明の実施形態に係る有価証券の真贋判定端末装置の処理手順を、図７に示すフローチャートに基づいて説明する。
まず、真贋判定を行なう有価証券４を真贋判定端末装置の挿入セット部６にセットする。（ステップＳ１）
そして、タッチパネルから処理開始用の指示情報を入力する。（ステップＳ２）
有価証券４は、挿入手段１０及び搬送手段１１により内部へと搬送され、第１画像読取手段１７により有価証券４の券面の画像情報が読み取られる。（ステップＳ３）
【００２０】
次に、読み取られた画像情報に基づいて、券種判別手段１３により、券種の特定が行なわれる。（ステップＳ４）
そして、券種判別手段１３で券種が特定されたことで、券番号４１の読取位置が定まり、券番号読取手段１４に搬送された有価証券４から券番号４１の読み取りが行なわれる。（ステップＳ５）
次に、有価証券４は、各種センサーが設けられた特性情報読取手段１５を備えた位置に搬送されて、真贋判定用の特性情報の読み取りが行なわれる。（ステップＳ６）
【００２１】
次に、特性情報読取手段１５で読み取られた真贋判定用の特性情報は、通信回線３を介して管理サーバ２へ送信される。（ステップＳ７）
管理サーバ２では、受信した真贋判定用の特性情報と、予め登録されている照合用の真贋判定用の特性情報との照合処理を行う。（ステップＳ８）
そして、この照合処理による真贋判定の結果情報を管理サーバ２から真贋判定端末装置１に送信する。（ステップＳ９）
【００２２】
次に、真贋判定端末装置１では、管理サーバ２から受信した真贋判定の結果情報が、真券であるとの結果情報である場合には、記憶手段１２に登録されている無効表示用の画像情報に基づいて、有価証券４の券面に無効表示をプリント出力する。（ステップＳ１０）
【００２３】
次に、第２画像読取手段１８により有価証券４の券面にプリント出力されている無効表示の画像情報を読み取る。（ステップＳ１１）
そして、第２画像読取手段１８で読み取った画像情報と、記憶手段に予め登録されている有価証券用の画像情報とを照合手段２６により照合処理する。（ステップＳ１２）
照合手段２６による照合処理の結果、照合一致した場合には、排出部７へと搬送させて排出させる。（ステップＳ１３）
また、照合手段２６による照合処理の結果、照合不一致した場合には、第２リジェクト手段２５により第２リジェクトスタッカ９に搬送して排出される。（ステップＳ１５）
【００２４】
また、真贋判定端末装置１で管理サーバ２から受信した真贋判定の結果情報が、偽券であるとの結果情報である場合には、第１リジェクト手段２３によりはじかれて第１リジェクトスタッカ８に対して搬送され排出される。（ステップＳ１４）
したがって、第１リジェクトスタッカ８には、真贋判定処理で偽券と判定された偽造有価証券４ｂだけが真券と分けられて集められる。
また、第２リジェクトスタッカ９には、有価証券４の券面にプリント出力されている無効表示が不良な有価証券４ｃだけが分けられて集められる。
【図面の簡単な説明】
【００２５】
【図１】本発明の実施形態に係る有価証券の真贋判定端末装置の概要を説明するための図である。
【図２】有価証券の一例を示す平面図である。
【図３】本発明の実施形態に係る有価証券の真贋判定端末装置のシステムブロック図である。
【図４】本発明の実施形態に係る有価証券の真贋判定端末装置において、有価証券の処理の流れを示す図である。
【図５】本発明に係る事前に登録された無効表示の画像情報である。
【図６】本発明に係る無効表示が施された有価証券の平面図である。
【図７】本発明の実施形態に係る有価証券の真贋判定端末装置の処理手順を示すフローチャートである。
【符号の説明】
【００２６】
１  有価証券の真贋判定端末装置
２  管理サーバ
３  通信回線
４  有価証券
４ａ  真券と判定された有価証券
４ｂ  偽券と判定された有価証券
４ｃ  無効表示が不良な有価証券
５  タッチパネル
６  挿入セット部
７  排出部
８  第１リジェクトスタッカ
９  第２リジェクトスタッカ
１０  挿入手段
１１  搬送手段
１２  記憶手段
１３  券種判別手段
１４  券番号読取手段
１５  特性情報読取手段
１６  入力手段
１７  第１画像読取手段
１８  第２画像読取手段
１９  排出手段
２０  表示手段
２１  通信手段
２２  無効処理手段
２３  第１リジェクト手段
２４  第２リジェクト手段
２５  送信制御手段
２６  照合手段
２７  制御手段
４１  券番号
４２  磁気インクを利用したバーコード状の印刷パターン
４３  蛍光インクを利用したドーナツ状の印刷パターン
【図１】
2006072402.tif 000003
【図２】
2006072402.tif 000004
【図３】
2006072402.tif 000005
【図４】
2006072402.tif 000006
【図５】
2006072402.tif 000007
【図６】
2006072402.tif 000008
【図７】
2006072402.tif 000009